(57)【特許請求の範囲】
【請求項１】
ユーザの操作に応じて調整対象となる画質調整項目を選択する画質調整項目選択手段と、
前記画質調整項目選択手段により選択された画質調整項目に関連する複数種類の画像データを含む画像データセットを順次切り替えて表示手段に表示させる表示制御手段と、
ユーザの操作に応じて、前記表示手段に表示される前記複数種類の画像データの画質を調整する画質調整手段と、
ユーザの操作に応じて、前記画質調整手段により画質が調整された前記複数種類の画像データから画像データを選択する選択手段とを有し、
前記表示制御手段は、前記選択手段により選択された前記画像データを前記表示手段において拡大表示させることを特徴とする画質調整装置。
【請求項２】
前記画質調整手段は、ユーザの操作に応じて、前記表示手段において拡大表示されている前記画像データの画質を調整することを特徴とする請求項１に記載の画質調整装置。
【請求項３】
前記表示制御手段は、一定時間毎に、前記複数種類の画像データを含む前記画像データセットを順次切り替えて表示させることを特徴とする請求項１又は２に記載の画質調整装置。
【請求項４】
所定のコントラスト比よりコントラスト比が大きい画像データ、黒色の領域面積が所定の領域面積より多く前記所定のコントラスト比よりコントラスト比が小さい画像データ、白色の領域面積が前記所定の領域面積より多く前記所定のコントラスト比よりコントラスト比が小さい画像データ、及び、グレー色で特定の階層差のあるグラデーション画像データのうちの少なくとも何れか二つがコントラスト調整項目に関連付けられることを特徴とする請求項１乃至３の何れか１項に記載の画質調整装置。
【請求項５】
所定の空間周波数より低い第１の空間周波数を含む画像データ、前記所定の空間周波数より高い第２の空間周波数を含む画像データ、及び、前記第１の空間周波数と前記第２の空間周波数との中間の空間周波数を含む画像データのうちの少なくとも何れか二つがシャープネス調整項目に関連付けられることを特徴とする請求項１乃至４の何れか１項に記載の画質調整装置。
【請求項６】
黒色の領域が所定の領域面積より多い画像データ、及び、白色の領域が所定の領域面積より多い画像データが明るさ調整項目に関連付けられることを特徴とする請求項１乃至５の何れか１項に記載の画質調整装置。
【請求項７】
通信回線を介して接続される記録装置に対して画像データの取得要求を発行する発行手段と、
前記取得要求に応じて、シーンチェンジが発生した際の前記複数の画像データを取得する取得手段とを更に有し、
前記表示制御手段は、前記取得手段により取得された前記複数の画像データを前記表示手段に表示させることを特徴とする請求項１乃至６の何れか１項に記載の画質調整装置。
【請求項８】
通信回線を介して接続される記録装置に対して画像データの取得要求を発行する発行手段と、
前記取得要求に応じて、シーンチェンジが発生した際の複数種類の画像データを取得する取得手段と、
ユーザの操作に応じて調整対象となる画質調整項目を選択する画質調整項目選択手段と、
前記画質調整項目選択手段により選択された画質調整項目に関連する前記複数種類の画像データを表示手段に表示させる表示制御手段と、
ユーザの操作に応じて、前記表示手段に表示される前記複数種類の画像データの画質を調整する画質調整手段と、
ユーザの操作に応じて、前記画質調整手段により画質が調整された前記複数種類の画像データから画像データを選択する選択手段とを有し、
前記表示制御手段は、前記選択手段により選択された前記画像データを前記表示手段において拡大表示させることを特徴とする画質調整装置。
【請求項９】
画質調整装置による画質調整方法であって、
ユーザの操作に応じて調整対象となる画質調整項目を選択する画質調整項目選択ステップと、
選択された画質調整項目に関連する複数種類の画像データを含む画像データセットを順次切り替えて表示手段に表示させる表示制御ステップと、
ユーザの操作に応じて、前記表示手段に表示される前記複数種類の画像データの画質を調整する画質調整ステップと、
ユーザの操作に応じて、前記画質調整ステップにより画質が調整された前記複数種類の画像データから画像データを選択する選択ステップと、
前記選択ステップにより選択された前記画像データを前記表示手段において拡大表示させる拡大表示ステップとを含むことを特徴とする画質調整方法。
【請求項１０】
画質調整装置による画質調整方法であって、
通信回線を介して接続される記録装置に対して画像データの取得要求を発行する発行ステップと、
前記取得要求に応じて、シーンチェンジが発生した際の複数種類の画像データを取得する取得ステップと、
ユーザの操作に応じて調整対象となる画質調整項目を選択する画質調整項目選択ステップと、
前記画質調整項目選択ステップにより選択された画質調整項目に関連する前記複数種類の画像データを表示手段に表示させる表示制御ステップと、
ユーザの操作に応じて、前記表示手段に表示される前記複数種類の画像データの画質を調整する画質調整ステップと、
ユーザの操作に応じて、前記画質調整ステップにより画質が調整された前記複数種類の画像データから画像データを選択する選択ステップと、
前記選択ステップにより選択された前記画像データを前記表示手段において拡大表示させる拡大表示ステップとを含むことを特徴とする画質調整方法。
【請求項１１】
ユーザの操作に応じて調整対象となる画質調整項目を選択する画質調整項目選択ステップと、
選択された画質調整項目に関連する複数種類の画像データを含む画像データセットを順次切り替えて表示手段に表示させる表示制御ステップと、
ユーザの操作に応じて、前記表示手段に表示される前記複数種類の画像データの画質を調整する画質調整ステップと、
ユーザの操作に応じて、前記画質調整ステップにより画質が調整された前記複数種類の画像データから画像データを選択する選択ステップと、
前記選択ステップにより選択された前記画像データを前記表示手段において拡大表示させる拡大表示ステップとをコンピュータに実行させるためのプログラム。
【請求項１２】
通信回線を介して接続される記録装置に対して画像データの取得要求を発行する発行ステップと、
前記取得要求に応じて、シーンチェンジが発生した際の複数種類の画像データを取得する取得ステップと、
ユーザの操作に応じて調整対象となる画質調整項目を選択する画質調整項目選択ステップと、
前記画質調整項目選択ステップにより選択された画質調整項目に関連する前記複数種類の画像データを表示手段に表示させる表示制御ステップと、
ユーザの操作に応じて、前記表示手段に表示される前記複数種類の画像データの画質を調整する画質調整ステップと、
ユーザの操作に応じて、前記画質調整ステップにより画質が調整された前記複数種類の画像データから画像データを選択する選択ステップと、
前記選択ステップにより選択された前記画像データを前記表示手段において拡大表示させる拡大表示ステップとをコンピュータに実行させるためのプログラム。
【発明の詳細な説明】
【技術分野】
【０００１】
本発明は、特徴のある複数の画像データに対する画質の調整を行うことが可能な技術に関するものである。
【背景技術】
【０００２】
映像表示装置の多くは、使用者の好みや映像の対象に合わせて、画質を変更することができる画像調整機能を有している。画質変更の項目として例えば、コントラスト、明るさ、色あい、シャープネス等の項目がある。
【０００３】
画質調整機能は各項目を調整し、好みの画質に設定することは難しいため、予め複数の項目を調整した値にすることができるものがある。例えば、スタンダードモード、シネマモード、ダイナミックモード等のモードに切り替えることによって、予め各メーカが調整した画質に切り替えることができる。
【０００４】
しかしながら、画質調整中は、放送中の映像等、視聴する映像を見ながら調整するが、複数の画質を同時に確認することができないため、どの画質が良いのか比較することができなかった。
【０００５】
以上の問題を解決する方法として、表示している画面を分割し、各領域それぞれ独立して画質の設定が行うことができ、視聴する画質を決定する方法が知られている（例えば、特許文献１参照）。
【０００６】
また、動画像から所定数の画像を取得して一覧表示し、ある画像を選択すると、その画像に対して特定のパラメータを段階的に変換し、変換した複数の画像を同時に表示して画質を選択する方法が知られている（例えば、特許文献２参照）。
【０００７】
また、入力された画像の一部をトリミングして複数枚並べて一画面を構成し、各画像に対して独立して画質調整を行ない、画質を調整する方法が知られている（例えば、特許文献３参照）。
【０００８】
【特許文献１】特開平９−２１４８５３号公報
【特許文献２】特開平１１−１０２４２８号公報
【特許文献３】特開２００２−２１８３５０号公報
【発明の開示】
【発明が解決しようとする課題】
【０００９】
しかしながら、特許文献１に開示される発明は、一つの映像を複数に分割し、各領域それぞれ独立に画質を設定するため、画質を調整して決定した後に、映像が大きくシーンチェンジしたときに見づらい映像になる可能性があるという問題があった。
【００１０】
また、特許文献２及び特許文献３に開示される発明では、映像のある瞬間の画像（静止画）に対して画質を調整するため、映像が大きくシーンチェンジしたとき等、表示が変化した際に見づらい映像になる可能性があるという問題があった。
【００１１】
そこで、本発明の目的は、特徴のあるどの画像データに対しても見づらい画像にならない適切な画質に設定することを可能とすることにある。
【課題を解決するための手段】
【００１２】
本発明の画質調整装置は、ユーザの操作に応じて調整対象となる画質調整項目を選択する画質調整項目選択手段と、前記画質調整項目選択手段により選択された画質調整項目に関連する複数種類の画像データを含む画像データセットを順次切り替えて表示手段に表示させる表示制御手段と、ユーザの操作に応じて、前記表示手段に表示される前記複数種類の画像データの画質を調整する画質調整手段と、ユーザの操作に応じて、前記画質調整手段により画質が調整された前記複数種類の画像データから画像データを選択する選択手段とを有し、前記表示制御手段は、前記選択手段により選択された前記画像データを前記表示手段において拡大表示させることを特徴とする。
【発明の効果】
【００１３】
本発明によれば、より多くの画像データを確認して、特徴のあるどの画像データに対しても見づらい画像にならない適切な画質に設定することが可能となる。
【発明を実施するための最良の形態】
【００１４】
以下、本発明を適用した好適な実施形態を、添付図面を参照しながら詳細に説明する。以下に説明する実施形態は、本発明を限定するものでなく、また実施形態で説明されている特徴の組み合わせの全てが課題を解決するための手段に必須のものとは限らない。
【００１５】
（第１の実施形態）
図１は、本発明の第１の実施形態に係る映像表示装置２０１の外観構成を示す図である。２０１は映像表示装置であり、入力された映像を表示手段である映像表示部２０４に表示する。２０２はリモートコントローラ（以下、リモコンと称す）２２０の信号を受信するリモコン制御信号受信部である。２０３はリモコン２２０から受信したメニュー表示信号によりＯＳＤ（オンスクリーンディスプレイ）表示したメニュー画面である。メニュー画面２０３の操作はリモコン２２０により操作できる。また、ペン２１０は映像表示装置に対して座標入力できるものであり、メニュー２０３の操作も行うことができる。映像表示装置２０１は、本発明の画質調整装置の一適用例である。
【００１６】
図２は、図１の映像表示装置２０１の機能構成を示すブロック図である。図２において、１０２は映像を表示する映像表示部（図１の２０４に相当する構成）である。１０３はリモコン２２０の信号を受信するリモコン制御信号受信部（図１の２０２に相当する構成）である。１０４はペン２１０の入力座標・ペンボタン信号を検出する座標・ペンボタン検出部である。１０７は映像信号を受信する映像信号受信部である。１０１は各種入出力の制御やデータ処理等を行うＭＰＵである。１０５は演算結果やデータを一時的に記憶するＲＡＭである。１０６は本発明に係る制御を実行するプログラムやデータ（画像データ含む）を記憶するＲＯＭである。
【００１７】
図３は、本実施形態に係る映像表示装置２０１による画質調整の処理方法を示すフローチャートである。
【００１８】
先ずＭＰＵ１０１は、画質調整状態になったときに予め用意してある特徴のあるサンプル画像データ（以下、単にサンプル画像と称す）を映像表示部１０２上で一つの画面に複数表示する（Ｓ１０１）。このとき、画像サイズが大きい場合は縮小して表示する。表示するサンプル画像のそれぞれの画像としては、暗い背景に小さな明かりがある画像、細かい文字が多い画像、写真ではなくアニメのような画像、雪で白い領域が多い画像、人の顔が大きく写っている画像等が考えられる。ＭＰＵ１０１はこれらを同時に一つの画面に表示する。Ｓ１０１は、本発明の表示制御手段の一処理例である。
【００１９】
次にＭＰＵ１０１は、サンプル画像が複数表示されている状態で画質の調整メニューを映像表示部１０２で表示する。ユーザは調整メニュー上で所望の項目を選択して画質を調整することができる。ＭＰＵ１０１は、ユーザの操作に応じて該当する項目の画質を調整する（Ｓ１０２）。画質の調整項目は例えば、コントラスト、ブライト、色合い、シャープネス、色温度、ゲイン、ガンマ、色域、ノイズリダクション等がある。特にこれらの項目により多くの影響を受ける画像をＳ１０１のサンプル画像とする。例えば、コントラストの場合、コントラスト比が異なる画像をサンプル画像とすることが好ましい。これは、画像中の輝度の最大値と最小値との差によって、コントラストを調整した際の画質が異なるからである。また、画像中の輝度の平均値と分散値が異なる画像をサンプル画像とすることもできる。また、シャープネスの場合、空間周波数の異なる画像をサンプル画像とすることが好ましい。画質の調整項目によって、その調整項目の影響を受ける画像の特徴が異なるので、上記した様々な特徴を持つ画像の組み合せをサンプル画像とすることが好ましい。Ｓ１０２は、本発明の画質調整手段の一処理例である。
【００２０】
次にＭＰＵ１０１は、ユーザの操作によって複数のサンプル画像（以下、複数のサンプル画像をサンプル画像セットと称す）から一つのサンプル画像が選択されたか否かを判定する（Ｓ１０３）。ユーザがリモコン２２０又はペン２１０によってサンプル画像セットから一つのサンプル画像を選択すると、ＭＰＵ１０１は選択されたサンプル画像を拡大し、画面に大きく表示する（Ｓ１０６）。ユーザは拡大されたサンプル画像によって詳細部を確認し、画質の調整操作を行うと、ＭＰＵ１０１はその操作に応じた画質の調整を行う（Ｓ１０７）。
【００２１】
次にＭＰＵ１０１は、ユーザの操作によって拡大の終了指示があったか否かを判定する（Ｓ１０８）。ユーザが拡大の終了指示をリモコン２２０又はペン２１０で行うと、処理はＳ１０１に戻り、ＭＰＵ１０１はサンプル画像を複数表示する。一方、ユーザによる拡大の終了指示がないと判定された場合、ＭＰＵ１０１は、Ｓ１０６からの処理を繰り返す。
【００２２】
また、Ｓ１０３にてサンプル画像セットから一つのサンプル画像が選択されていない場合、ＭＰＵ１０１は画質調整の終了指示があったか否かを判定する（Ｓ１０４）。ユーザがリモコン２２０又はペン２１０によって画質の調整が終了したことを指示した場合、ＭＰＵ１０１は、サンプル画像を非表示にして元の映像を表示し、調整したパラメータ値をＲＡＭ１０５に保存する（Ｓ１０５）。一方、Ｓ１０４にて画質調整の終了指示がなかったと判定された場合、処理はＳ１０１に戻る。
【００２３】
以上の方法で画質を調整することにより、特徴あるサンプル画像セットを全て見ながら調整することができる。即ち、画質の調整結果がサンプル画像セットの全てのサンプル画像に対して反映されるため、ある画像はきれいに見える設定が、ある画像ではきれいに見えず偏った画質になってしまうことを防ぐことが可能となる。
【００２４】
ここでは、ＯＳＤを表示し、リモコン２２０又はペン２１０で操作する方法を例に挙げて説明したがこれに限定されるものではなく、ネットワークを介して別のコンピュータとコマンドを送受信することで操作する方法でも構わない。
【００２５】
図４は、図３のフローチャートに示す処理による表示画面の遷移状態を示す図である。３０１は、サンプル画像セットを表示してコントラストの調整を行うための表示画面の状態を示している。３０２は、コントラストの調整値を視覚的に認識するためのＯＳＤである。３０４は、サンプル画像を拡大して詳細を確認するために、サンプル画像Ｄを選択している表示画面の状態を示している。３０４に示す表示画面の状態では、Ｓ１０３で選択されているサンプル画像Ｄを枠３０３で囲んであり、そのサンプル画像Ｄを識別できるようにしている。サンプル画像を選択する際には、リモコン２２０で選択してもよいし、ペン２１０で表示画面に直接触れてサンプル画像を選択してもよい。３０５は、サンプル画像Ｄが選択された後、Ｓ１０６でサンプル画像Ｄが拡大され、コントラストを調節している表示画面の状態を示している。
【００２６】
（第２の実施形態）
次に、本発明の第２の実施形態について説明する。本実施形態に係る映像表示装置２０１のシステム構成は第１の実施形態と同じであるため説明を省略する。
【００２７】
図５は、本発明の第２の実施形態に係る映像表示装置２０１による画質調整の処理方法を示すフローチャートである。本実施形態における画質調整の処理方法は、サンプル画像セットを一定時間間隔で切り替え、画質の調整を行う方法である。
【００２８】
先ずＭＰＵ１０１は、画質調整状態になったときに予め用意してある特徴のあるサンプル画像セットを映像表示装置１０２上で一つの画面に表示する（Ｓ２０１）。このとき、画像サイズが大きい場合は縮小して表示する。また、表示するサンプル画像セットとしては、暗い背景に小さな明かりがある画像、細かい文字が多い画像、写真ではなくアニメのような画像、雪で白い領域が多い画像、夜の画像で黒い領域が多い画像、人の顔が大きく写っている画像等が考えられる。ＭＰＵ１０１は、これらを同時に一つの画面に表示する。
【００２９】
次にＭＰＵ１０１は、サンプル画像セットを表示する際に、一定時間毎に別のサンプル画像セットに順次切り替えて表示することを繰り返す（Ｓ２０１）。ここでは、一定時間毎に別のサンプル画像セットに切り替えられる状態で画質の調整メニューを表示する。
【００３０】
ユーザは画質の調整メニュー上で所望の項目を選択して画質の調整を行うことができる。ＭＰＵ１０１はその操作に応じた画質の調整を行う（Ｓ２０２）。画質の調整項目は例えば、コントラスト、明るさ、色合い、シャープネス、色温度、ゲイン、ガンマ、色域、色の濃さ等がある。特にこれらの項目により多くの影響を受ける画像をＳ２０１のサンプル画像とすることが好ましい。
【００３１】
次にＭＰＵ１０１は、サンプル画像セットの切り替えの停止指示がユーザの操作によってあったか否かを判定する（Ｓ２０３）。サンプル画像セットの切り替えの停止指示があった場合、ＭＰＵ１０１はサンプル画像セットの切り替えを停止する（Ｓ２０６）。次にＭＰＵ１０１は、サンプル画像セットの切り替えが停止した状態で画質の調整を行う（Ｓ２０７）。
【００３２】
次にＭＰＵ１０１は、サンプル画像セットの切り替えが停止した際にサンプル画像セットから一つのサンプル画像が選択されたか否かを判定する（Ｓ２０８）。一つのサンプル画像が選択された場合、ＭＰＵ１０１は選択されたサンプル画像を拡大し、画面に大きく表示する（Ｓ２１０）。ユーザは拡大された画像によって詳細部を確認し、画質の調整操作を行うと、ＭＰＵ１０１はその操作に応じた画質の調整を行う（Ｓ２１１）。
【００３３】
次にＭＰＵ１０１は、ユーザの操作によって拡大の終了指示があったか否かを判定する（Ｓ２１３）。ユーザが拡大の終了指示をリモコン２２０又はペン２１０で行うと、ＭＰＵ１０１は拡大前のサンプル画像を複数表示し（Ｓ２１３）、処理はＳ２０６に戻る。一方、拡大の終了指示がない場合、処理はＳ２１０に戻り、選択されているサンプル画像の拡大表示を継続する。
【００３４】
また、Ｓ２０８にてサンプル画像セットから一つのサンプル画像が選択されていないと判定された場合、ＭＰＵ１０１はサンプル画像セットの切り替えの再開が指示されたか否かを判定する（Ｓ２０９）。ユーザによってリモコン２２０又はペン２１０によってサンプル画像セットの切り替えの再開が指示された場合、処理はＳ２０１に戻り、ＭＰＵ１０１は複数のサンプル画像セットを一定時間間隔で切り替えて表示する。一方、サンプル画像セットの切り替えの再開が指示されていない場合、処理はＳ２０６に戻り、ＭＰＵ１０１はサンプル画像セットの切り替えを停止した状態を継続する。
【００３５】
また、Ｓ２０４にて画質調整の終了が指示された場合、ＭＰＵ１０１はサンプル画像を非表示にして元の映像を表示し、調整したパラメータ値をＲＡＭ１０５に保存する（Ｓ２０５）。
【００３６】
以上の方法で調整することにより、特徴あるサンプル画像全てを見ながら画質を調整することができる。即ちサンプル画像全てに対して画質の調整結果が反映されるので、ある画像はきれいに見える設定が、ある画像ではきれいに見えず偏った画質になることを防ぐことが可能となる。
【００３７】
特に第１の実施形態よりも多くのサンプル画像を確認して画質の調整を行うことができるため、第１の実施形態より適切な画質に設定し易いという特徴がある。
【００３８】
図６は、図５のフローチャートに示す処理による表示画面の遷移状態を示す図である。４０１は、サンプル画像セットを表示してコントラストの調整を行うための表示画面の状態を示している。４０２は、４０１の表示画面の状態から一定時間が経過し、異なるサンプル画像セットに切り替えられたときの表示画面の状態を示している。４０３は、４０２の表示画面の状態から一定時間が経過し、異なるサンプル画像セットに切り替えたときの表示画面の状態を示している。尚、サンプル画像セットが切り替わるのを停止した場合は、４０１、４０２、４０３の何れかの状態で時間が経過しても切り替わらない状態になる。ここでは３つのサンプル画像セットの例を示したが３セットに限定するものではない。
【００３９】
サンプル画像セットが切り替わるのを停止したときに、サンプル画像の選択及び拡大を行い、画質を確認することができる。拡大するサンプル画像を選択するための画面は図４と同様である。
【００４０】
サンプル画像の拡大を解除すると、拡大前のサンプル画像セットを表示し（Ｓ２１３）、サンプル画像セットは切り替わらないＳ２０６の状態になる。そして、サンプル画像セットが切り替わるように指示すると、サンプル画像セットを切り替えるＳ２０１の状態になる。
【００４１】
ここでは、サンプル画像の拡大を解除したときに、サンプル画像セットの切り替えを停止した状態に移行する例を示したが、これに限定するものではなく、サンプル画像セットが切り替わる状態に移行しても構わない。また、サンプル画像セットが切り替わる状態でサンプル画像を選択し拡大しても構わない。
【００４２】
また、ＯＳＤを表示し、リモコン２２０又はペン２１０で画面を操作し指定する方法で行う例を示したがこれに限定するものではなく、ネットワークを介して別のコンピュータとコマンドを送受信することで操作する方法でも構わない。
【００４３】
（第３の実施形態）
次に、本発明の第３の実施形態について説明する。本実施形態に係る映像表示装置２０１のシステム構成は第１の実施形態と同じであるため、説明は省略する。
【００４４】
図７は、本発明の第３の実施形態に係る映像表示装置２０１による画質調整の処理方法を示すフローチャートである。本実施形態における画質調整の処理方法は、特に視聴するジャンル（分野）を指定し、指定されたジャンルによってサンプル画像セットを変更し、画質の調整を行う方法である。
【００４５】
先ずユーザは、画質調整状態になったときに予め用意されるジャンルの中から、視聴するコンテンツに近いジャンルを指定する。この指定を受けてＭＰＵ１０１はジャンルを選択する（Ｓ３０１）。次にＭＰＵ１０１は、予め用意される特徴のあるサンプル画像の中からＳ３０１で選択されたジャンルで表示される可能性が高いサンプル画像セット、即ち選択されたジャンルに関連するサンプル画像セットを一つの画面に複数表示する（Ｓ３０２）。このとき、ＭＰＵ１０１は画像サイズが大きい場合は画像を縮小して表示する。なお、Ｓ３０１は、本発明の分野選択手段の一処理例である。
【００４６】
表示するサンプル画像のそれぞれの画像は、暗い背景に小さな明かりがある画像、細かい文字が多い画像、写真ではなくアニメのような画像、雪で白い領域が多い画像、人の顔が大きく写っている画像等が考えられる。ＭＰＵ１０１は、これらを同時に一つの画面に表示する。これらの予め用意したサンプル画像に関係するジャンルの情報を付加しておくことにより、ジャンルに関連するサンプル画像セットを作成することができる。
【００４７】
次にＭＰＵ１０１は、サンプル画像セットが表示されている状態で画質の調整メニューを表示する。ユーザは画質の調整メニュー上で所望の項目を選択して画質の調整を行うことができる。ＭＰＵ１０１がその操作に応じて該当する項目の画質を調整する（Ｓ３０３）。画質の調整項目は例えば、コントラスト、明るさ、色合い、シャープネス、色温度、ゲイン、ガンマ、色域、ノイズリダクション等がある。特にこれらの項目により多くの影響を受ける画像をＳ３０２のサンプル画像とすることが好ましい。
【００４８】
次にＭＰＵ１０１は、ユーザの操作によってサンプル画像セットから一つのサンプル画像が選択されたか否かを判定する（Ｓ３０４）。ユーザがリモコン２２０又はペン２１０によってサンプル画像セットから一つのサンプル画像を選択すると、ＭＰＵ１０１は選択されたサンプル画像を拡大し、画面に大きく表示する（Ｓ３０７）。ユーザは拡大されたサンプル画像によって詳細部を確認し、画質の調整を行うと、ＭＰＵ１０１はその操作に応じた画質の調整を行う（Ｓ３０８）。
【００４９】
次にＭＰＵ１０１は、ユーザの操作によって拡大の終了指示があったか否かを判定する（Ｓ３０９）。ユーザが拡大の終了指示をリモコン２２０又はペン２１０で行うと、処理はＳ３０２に戻り、ＭＰＵ１０１は指定されたジャンルに対応するサンプル画像セットを表示する。一方、ユーザによる拡大の終了指示がないと判定された場合、ＭＰＵ１０１はＳ３０７からの処理を繰り返す。
【００５０】
また、Ｓ３０４にてサンプル画像セットから一つのサンプル画像が選択されていない場合、ＭＰＵ１０１は画質調整の終了指示があったか否かを判定する（Ｓ３０５）。ユーザがリモコン２２０又はペン２１０によって画質の調整が終了したことを指示した場合、ＭＰＵ１０１はサンプル画像を非表示にして元の映像を表示し、調整したパラメータ値をＲＡＭ１０５に保存する（Ｓ３０６）。一方、Ｓ３０５にて画質調整の終了指示がなかったと判定された場合、処理はＳ３０２に戻る。
【００５１】
以上の方法で調整することにより、指定したジャンルのコンテンツで表示される画像と特徴が似ているサンプル画像全てを見ながら調整することができる。即ち、指定されたジャンルに関連付けられる全てのサンプル画像に対して画質の調整結果が反映されるため、指定ジャンルのコンテンツを視聴する際に、ある画像はきれいに見える設定が、ある画像ではきれいに見えず偏った画質になることを防ぐことが可能となる。
【００５２】
ここでは、ジャンルを指定した後、第１の実施形態と同様の処理の例を示したが、これに限定するものではなく、ジャンルを指定した後、第２の実施形態と同様の処理を行なっても構わない。
【００５３】
また、ＯＳＤを表示し、リモコン２２０又はペン２１０で操作する方法を例に挙げて説明したがこれに限定されるものではなく、ネットワークを介して別のコンピュータとコマンドを送受信することで操作する方法でも構わない。
【００５４】
図８は、図７のフローチャートに示す処理による表示画面の遷移状態を示す図である。
５０１は、Ｓ３０１における表示画面の状態を示した図であり、ジャンルを指定するための表示画面の状態を示している。本表示画面上において、ＯＳＤでメニューを表示し、ジャンルを選択することができる。例えば、ニュース、アニメ、バラエティ、ドラマ、スポーツというジャンルを表示し、選択操作を受け付ける。
【００５５】
５０２は、Ｓ３０３における表示画面の状態を示した図であり、ジャンルを決定した後に、ジャンルに関連するサンプル画像セットを表示し、コントラストの調整を行うことが可能な表示画面の状態を示している。
【００５６】
（第４の実施形態）
次に、本発明の第４の実施形態について説明する。本実施形態に係る映像表示装置２０１のシステム構成は第１の実施形態と同じであるため説明を省略する。
【００５７】
図９は、本発明の第４の実施形態に係る映像表示装置２０１による画質調整の処理方法を示すフローチャートである。本実施形態における画質調整の処理方法は、一画面にサンプル画像セットを表示する方法ではなく、一つのサンプル画像を画面に表示し、一定時間毎に表示するサンプル画像を切り替え、画質の調整を行う方法である。
【００５８】
先ずＭＰＵ１０１は、画質調整状態になったときに予め用意してある特徴のあるサンプル画像の映像表示装置１０２上で一つを画面に表示し、一定時間毎に表示するサンプル画像を切り替える（Ｓ４０１）。表示するサンプル画像のそれぞれの画像は、暗い背景に小さな明かりがある画像、細かい文字が多い画像、写真ではなくアニメのような画像、雪で白い領域が多い画像、人の顔が大きく写っている画像等が考えられる。
【００５９】
次にＭＰＵ１０１は、サンプル画像が表示されている状態で、画質の調整メニューを表示する。ユーザは画質の調整メニュー上で所望の項目を選択して画質を調整することができる。ＭＰＵ１０１は、ユーザの操作に応じて該当する項目の画質を調整する（Ｓ４０２）。画質の調整項目は例えば、コントラスト、ブライト、色合い、シャープネス、色温度、ゲイン、ガンマ、色域、ノイズリダクション等がある。特にこれらの項目により多くの影響を受ける画像をＳ４０１のサンプル画像とすることが好ましい。
【００６０】
次にＭＰＵ１０１は、サンプル画像の切り替えの停止指示がユーザの操作によってあったか否かを判定する（Ｓ４０３）。サンプル画像の切り替えの停止指示があった場合、ＭＰＵ１０１は、サンプル画像の切り替えを停止する（Ｓ４０７）。次にＭＰＵ１０１は、サンプル画像の切り替えが停止した状態でユーザの操作に応じて画質の調整を行う（Ｓ４０８）。
【００６１】
次にＭＰＵ１０１は、ユーザによるサンプル画像の切り替えの再開の指示があったか否かを判定する（Ｓ４０９）。ユーザによってリモコン２２０又はペン２１０によってサンプル画像の切り替えの再開が指示された場合、処理はＳ４０１に戻り、ＭＰＵ１０１はサンプル画像を一定時間間隔で切り替えて表示する。一方、サンプル画像の切り替えの再開が指示されていない場合、処理はＳ４０７に戻り、ＭＰＵ１０１はサンプル画像の切り替えの停止を継続する。
【００６２】
また、Ｓ４０３にてサンプル画像の切り替えの停止指示がないと判定された場合、ＭＰＵ１０１は画質調整の終了が指示されたか否かを判定する（Ｓ４０５）。画質調整がユーザによりリモコン２２０又はペン２１０によって指示された場合、ＭＰＵ１０１はサンプル画像を非表示にして元の映像を表示し、調整したパラメータ値をＲＡＭ１０５に保存する（Ｓ４０６）。一方、画質調整が指示されなかった場合、処理はＳ４０１に戻り、ＭＰＵ１０１はサンプル画像を一定時間間隔で切り替えて表示する。
【００６３】
以上の方法で調整することにより、特徴あるサンプル画像全てを見ながら調整することができる。即ち、サンプル画像全てに対して画質の調整結果が反映されるので、ある画像はきれいに見える設定が、ある画像ではきれいに見えず偏った画質になることを防ぐことが可能となる。
【００６４】
図１０は、図９のフローチャートに示す処理による表示画面の遷移状態を示す図である。図１０においては、５０１、５０２、５０３と一定時間毎にサンプル画像が切り替わり、その中でコントラストの調整を行なっている様子を示している。
【００６５】
ここでは、ＯＳＤを表示し、リモコン２２０又はペン２１０で画面を操作する例を示したがこれに限定するものではなく、ネットワークを介して別のコンピュータとコマンドを送受信することで操作する方法でも構わない。
【００６６】
（第５の実施形態）
次に、本発明の第５の実施形態について説明する。図１１は、本発明の第５の実施形態に係る映像表示装置２０１と映像録画再生装置（HDD Player）６１０とを接続した状態における機能構成を示すブロック図である。
【００６７】
図１１において、６０２は映像を表示する映像表示部６０２である。６０３はリモコン２２０の信号を受信するリモコン制御信号受信部である。６０４はペン２１０の入力座標・ペンボタン信号を検出する座標・ペンボタン検出部である。６０７は映像を録画・再生する映像記録再生装置６１０と映像・音声・制御信号の通信を行う映像・音声・制御信号送受信部である。６０１は各種入出力の制御やデータ処理等を行うＭＰＵである。６０５は演算結果やデータを一時的に記憶するＲＡＭである。本発明に係る制御を実行するプログラムやデータ（画像データ含む）を記憶するＲＯＭである。また、映像録画再生装置６１０と映像表示装置２０１とは通信回線であるＨＤＭＩケーブル６２０で接続されている。
【００６８】
図１２は、映像表示装置２０１と映像録画再生装置６１０との接続時における映像表示装置２０１と映像録画再生装置６１０との処理の流れを示すフローチャートである。ＭＰＵ６０１は、ＨＤＭＩケーブル６２０で映像表示装置２０１と映像録画再生装置６１０とが接続されたときに、ＨＤＭＩケーブル６２０を介して映像録画再生装置６１０に対して映像調査コマンドを送信する（Ｓ５０１）。
【００６９】
コマンドを受信した映像録画再生装置６１０は記憶している映像を調査し、特徴のある画像又はシーンチェンジが発生したときの画像等を抽出する（Ｓ５０３）。次に映像録画再生装置６１０は抽出した画像を映像表示装置２０１に送信する（Ｓ５０４）。映像を受信した映像表示装置２０１のＭＰＵ１０１は、当該映像を特徴のあるサンプル画像としてＲＡＭ６０５に記憶し（Ｓ５０４）、画質調整時におけるサンプル画像として使用し、画質の調整を行う。画質調整時のサンプル画像としては、上述した第１〜第４の実施形態における何れのサンプル画像として用いてもよい。なお、Ｓ５０３は、本発明の取得手段の一処理例である。
【００７０】
ここでは、映像録画再生装置６１０において映像を調査し、特徴のある画像を抽出する例を示したが、映像録画再生装置６１０が保持しているピクチャーインデックス画像を送信し、ピクチャーインデックス画像をサンプル画像として保存しても構わない。
【００７１】
またここでは映像録画再生装置６１０であるHDD Playerの例を示したがこれに限定するものではなく、これに代えてDVD Player、メモリカード、VIDEO Player等の映像記憶媒体であっても構わない。また接続ケーブルもＨＤＭＩケーブルに限定するものではなく、映像信号と制御信号とを送受信できる形態であれば構わない。映像信号と制御信号とを送受信するためのケーブルを夫々個別に設けても構わない。また、ケーブルを接続したときにコマンドの送信を開始する例を示したが、別のタイミングでコマンドの送信を開始しても構わない。
【００７２】
（第６の実施形態）
次に本発明の第６の実施形態について説明する。本実施形態に係る映像表示装置２０１のシステム構成は第１の実施形態と同じであるため説明を省略する。
【００７３】
図１３は、本発明の第５の実施形態に係る映像表示装置２０１による画質調整の処理方法を示すフローチャートである。本実施形態における画質調整の処理方法は、調整する画質項目に応じてサンプル画像セットを切り替える画質の調整方法である。
【００７４】
先ずＭＰＵ１０１は、画質調整状態になったときに映像表示装置１０２上で画質調整メニューを表示する（Ｓ６０１）。次にＭＰＵ１０１は、ユーザの操作に応じて調整する項目を選択する。この処理は、本発明の画質項目選択手段の一処理例である。
【００７５】
次にＭＰＵ１０１は、ユーザの調整項目の選択操作によりコントラスト調整が選択されたか否かを判定する（Ｓ６０２）。ユーザがコントラスト調整を選択した場合、ＭＰＵ１０１は、コントラスト調整項目に関連付けられたサンプル画像セットを映像表示装置１０２上に表示する（Ｓ６０３）。次にＭＰＵ１０１は、ユーザの操作に応じてコントラスト調整を行う（Ｓ６０４）。
【００７６】
一方、Ｓ６０２にてコントラスト調整が選択されなかった場合、ＭＰＵ１０１は、ユーザの操作によって画質調整項目でシャープネス調整が選択されたか否かを判定する（Ｓ６０５）。画質調整項目でシャープネス調整が選択された場合、ＭＰＵ１０１は、シャープネス調整項目に関連付けられたサンプル画像セットを表示する（Ｓ６０６）。次にＭＰＵ１０１は、ユーザの操作に応じてシャープネス調整を行う（Ｓ６０７）。
【００７７】
Ｓ６０５にてシャープネス調整が選択されなかった場合、ＭＰＵ１０１は、ユーザの操作によって画質調整項目で明るさ調整が選択されたか否かを判定する（Ｓ６０８）。画質調整項目で明るさ調整が選択された場合、ＭＰＵ１０１は、明るさ調整項目に関連付けられたサンプル画像セットを表示する（Ｓ６０９）。次にＭＰＵ１０１は、ユーザの操作に応じて明るさ調整を行う（Ｓ６１０）。
【００７８】
Ｓ６０４、Ｓ６０７、Ｓ６１０の後、又は、Ｓ６０８において画質調整項目で明るさ調整が選択されなかった場合、処理はＳ６１１に移行する。Ｓ６１１では、ＭＰＵ１０１は、画質調整の終了指示があったか否かを判定する。画質調整の終了指示があった場合、図１３に示す処理は終了となる。一方、画質調整の終了指示がない場合、処理はＳ６１１に戻り、ＭＰＵ１０１は画質調整メニューを表示する。
【００７９】
ここでコントラスト調整項目に関連付けられる画像の例として、物に強い光があたっており、光と影がある画像、暗闇に人がいる画像、小さい雪の背景に白熊がいる画像、グレー色で一定の階調差のあるグラデーション画像等が挙げられる。その他の考え方として、コントラスト調整項目に、所定のコントラスト比よりコントラスト比が大きい画像、黒色の領域面積が所定の領域面積より多く所定のコントラスト比よりコントラスト比が小さい画像、白色の領域面積が所定の領域面積より多く所定のコントラスト比よりコントラスト比が小さい画像、及び、グレー色で特定の階層差のあるグラデーション画像を関連付けてもよい。これら全てを関連付けなくてもよく、これらのうちの少なくとも何れか２つの画像を関連付けるようにしてもよい。
【００８０】
また、シャープネスに関連付けられる画像の例として、葉が多く付いた木の画像、白い紙に黒い文字がある手紙等の画像、青い空と海の画像、ボーダーのシャツを着た人の画像等が挙げられる。その他の考え方として、所定の空間周波数より低い第１の空間周波数を含む画像、所定の空間周波数より高い第２の空間周波数を含む画像、及び、第１の空間周波数と第２の空間周波数との中間の空間周波数を含む画像を関連付けてもよい。同じくこれら全てを関連付けなくてもよく、これらのうちの少なくとも何れか２つの画像を関連付けるようにしてもよい。
【００８１】
また、明るさに関連付けられる画像の例として、物に強い光があたっており、光と影がある画像、暗闇に人がいる画像、小さい雪の背景に白熊がいる画像、暗い背景に星がある画像等が挙げられる。その他の考え方として、黒色の領域が所定の領域面積より多い画像、及び、白色の領域が所定の領域面積より多い画像を関連付けてもよい。
【００８２】
尚、ここではコントラスト、シャープネス、明るさの調整項目に関連付けられた例を示したがこれに限定するものではなく、他の調整項目を含んだものでも構わない。また、調整項目に関連付けられる画像の例は、これに限定するものではない。
【００８３】
上述した本発明の実施形態を構成する各手段及び各ステップは、コンピュータのＲＡＭやＲＯＭ等に記憶されたプログラムが動作することによって実現できる。このプログラム及び前記プログラムを記録したコンピュータ読み取り可能な記録媒体は本発明に含まれる。
【００８４】
また、本発明は、例えば、システム、装置、方法、プログラムもしくは記録媒体等としての実施形態も可能であり、具体的には、一つの機器からなる装置に適用してもよい。
【００８５】
なお、本発明は、上述した実施形態の機能を実現するソフトウェアのプログラムを、システム又は装置に直接、又は遠隔から供給する。そして、そのシステム又は装置のコンピュータが前記供給されたプログラムコードを読み出して実行することによっても達成される場合を含む。
【００８６】
従って、本発明の機能処理をコンピュータで実現するために、前記コンピュータにインストールされるプログラムコード自体も本発明を実現するものである。つまり、本発明は、本発明の機能処理を実現するためのコンピュータプログラム自体も含まれる。その場合、プログラムの機能を有していれば、オブジェクトコード、インタプリタにより実行されるプログラム、ＯＳに供給するスクリプトデータ等の形態であってもよい。
【００８７】
また、コンピュータが、読み出したプログラムを実行することによって、前述した実施形態の機能が実現される。更に、そのプログラムの指示に基づき、コンピュータ上で稼動しているＯＳ等が、実際の処理の一部又は全部を行い、その処理によっても前述した実施形態の機能が実現され得る。
【００８８】
更に、その他の方法として、まず記録媒体から読み出されたプログラムが、コンピュータに挿入された機能拡張ボードやコンピュータに接続された機能拡張ユニットに備わるメモリに書き込まれる。そして、そのプログラムの指示に基づき、その機能拡張ボードや機能拡張ユニットに備わるＣＰＵ等が実際の処理の一部又は全部を行い、その処理によっても前述した実施形態の機能が実現される。
【図面の簡単な説明】
【００８９】
【図１】本発明の第１〜第４、第６の実施形態に係る映像表示装置の外観構成を示す図である。
【図２】本発明の第１〜第４、第６の実施形態に係る映像表示装置の機能構成を示すブロック図である。
【図３】本発明の第１の実施形態に係る映像表示装置の画質調整の処理方法を示すフローチャートである。
【図４】図３のフローチャートに示す処理による表示画面の遷移状態を示す図である。
【図５】本発明の第２の実施形態に係る映像表示装置による画質調整の処理方法を示すフローチャートである。
【図６】図５のフローチャートに示す処理による表示画面の遷移状態を示す図である。
【図７】本発明の第３の実施形態に係る映像表示装置による画質調整の処理方法を示すフローチャートである。
【図８】図７のフローチャートに示す処理による表示画面の遷移状態を示す図である。
【図９】本発明の第４の実施形態に係る映像表示装置による画質調整の処理方法を示すフローチャートである。
【図１０】図９のフローチャートに示す処理による表示画面の遷移状態を示す図である。
【図１１】本発明の第５の実施形態に係る映像表示装置と映像録画再生装置とを接続した状態における機能構成を示すブロック図である。
【図１２】本発明の第５の実施形態に係る映像表示装置と映像録画再生装置との接続時における映像表示装置と映像録画再生装置との処理の流れを示すフローチャートである。
【図１３】本発明の第５の実施形態に係る映像表示装置による画質調整の処理方法を示すフローチャートである。
【符号の説明】
【００９０】
２０１  映像表示装置
２０２  リモコン制御信号受信部
２０３  メニュー画面
２０４  映像表示部
２１０  ペン
２２０  リモコン
１０１、６０１  ＭＰＵ
１０２、６０２  映像表示部
１０３、６０３  リモコン制御信号受信部
１０４、６０４  座標・ペンボタン検出部
１０５、６０５  ＲＡＭ
１０６、６０６  ＲＯＭ
１０７  映像信号受信部
６０７  映像・音声・制御信号送受信部
６１０  映像録画再生装置
【図１】
0005414165.tif 000002
【図２】
0005414165.tif 000003
【図３】
0005414165.tif 000004
【図４】
0005414165.tif 000005
【図５】
0005414165.tif 000006
【図６】
0005414165.tif 000007
【図７】
0005414165.tif 000008
【図８】
0005414165.tif 000009
【図９】
0005414165.tif 000010
【図１０】
0005414165.tif 000011
【図１１】
0005414165.tif 000012
【図１２】
0005414165.tif 000013
【図１３】
0005414165.tif 000014